(57)【要約】      （修正有）【課題】フレームの変形、連結金具の変形を防止するフレームと連結金具およびフレーム連結金具によって構成されるフロントキャビネットの構造を提供する。【解決手段】表示装置１のフロントキャビネット２であって、フロントキャビネット２は、複数のフレーム部材２１，２２、２３，２４により構成され、フレーム部材は、フロントキャビネット２の前面を構成する前板２１ａ、２２ａと、フロントキャビネットの側面を構成する側板２１ｂ、２２ｂにより構成され、前板もしくは側板から突出し連結金具２５が当接する固定部を備える。【選択図】図１
2014066799.tif 000002
【特許請求の範囲】
【請求項１】
表示装置のフロントキャビネットであって、
前記フロントキャビネットは、複数のフレーム部材により構成され、
該フレーム部材は、
前記フロントキャビネットの前面を構成する前板、及び前記フロントキャビネットの側面を構成する側板により構成され、
前記前板もしくは側板は、該前板もしくは側板から突出し連結金具が当接する固定部を備えることを特徴とするフロントキャビネット。
【請求項２】
前記固定部、
前記固定部を設けた前記前板もしくは前記側板、及び
前記側板もしくは前記前板は、断面が実質的にコの字形状をなす事を特徴とする請求項１記載のフロントキャビネット。
【請求項３】
前記固定部は、前記連結金具が当接する３つの面を有することを特徴とする請求項２記載のフロントキャビネット。
【請求項４】
前記連結金具は、断面が実質的に略コの字形状をなし、
前記連結金具の内面が、前記フレーム部材の前記固定部と当接することを特徴とする請求項３記載のフロントキャビネット。
【請求項５】
請求項１から４記載のフロントキャビネットを備えることを特徴とする表示装置。
【発明の詳細な説明】
【技術分野】
【０００１】
本発明は、表示装置の筺体に使用するフロントキャビネットおよびフロントキャビネットを構成するフレーム部材と連結金具に関する。
【背景技術】
【０００２】
従来からテレビなどの筺体において、アルミなどのフレーム部材を長方形に連結して構成するフロントキャビネットがある。
【０００３】
特許文献１には、４つのフレーム部材から成るテレビのフロントキャビネットを、４つのコーナブラケット用いて長方形枠状に一体的に連結する構造が開示されている。図６は、特許文献１に記載のテレビジョン受像機１００の分解斜視図である。図６に示すように、特許文献１に記載のテレビジョン受像機１００のフロントキャビネット１０１は、構造材であるトップフレーム部材１０７、ライトフレーム部材１０８、レフトフレーム部材１０９及びボトムフレーム部材１１０から成り、コーナブラケット１１１がこれら４つのフレーム部材を長方形枠状に一体的に連結することにより、ＣＲＴ１０３のフェースプレート１０４に対応し、このフェースプレート１０４を支持する。また、リアキャビネット１０２の中には、ＣＲＴ１０３のファンネル部１０５、電子銃及び各種の回路基板１０６等が収容される。
【０００４】
図７は、特許文献１に記載のテレビジョン受像機１００のフロントキャビネットの各フレーム部材間を連結する状態を示す斜視図である。図７に示すように特許文献１に記載のテレビジョン受像機１００は、アルミニウムの押出加工により形成される４個のフレーム部材１０７、１０８、１０９、１１０を長方形状に連結して構成するフロントキャビネットの各フレーム部材の内面側に、補強のためと、コーナブラケット１１１及びタッピングねじ１１２を用いて締結するために形成される厚肉リブ１１３、１１４の根元部に断面凹曲面状の絞り面１１５、１１６を形成して厚肉リブ１１３、１１４の根元部を滑らかな薄肉部に形成することにより、化粧パネルの表面側である体裁面のストラクチャストリークの発生が抑制されて、体裁面に影響を与えることなく、補強部、ねじ止め用穴等の締結部を設けることができることになり、設計の自由度が向上するとしている。
【先行技術文献】
【特許文献】
【０００５】
【特許文献１】特開２００２−１９０９９７号公報
【発明の概要】
【発明が解決しようとする課題】
【０００６】
しかしながら特許文献１記載の筺体では、コーナブラケットと１つのフレーム部材との接触面が１つしかないため、図７において挿入した軸Ｙ、軸Ｚ周りのねじれに対するフレーム部材の強度が弱く、フレーム部材の変形、連結金具の変形を生じるという課題がある。
【０００７】
本発明は上記課題を鑑み、フレーム部材に設ける固定部(特許文献１で厚肉リブと記載)と、フレーム部材を連結する金具との接触面を３つ構成することにより、フレーム部材および連結金具のねじれに対する強度を増加させ、強度の高いフロントキャビネットを提供するものである。
【課題を解決するための手段】
【０００８】
本発明のフロントキャビネットは、表示装置のフロントキャビネットであり、前記フロントキャビネットは、複数のフレーム部材により構成され、該フレーム部材は、前記フロントキャビネットの前面を構成する前板と、前記フロントキャビネットの側面を構成する側板により構成され、該前板もしくは側板から突出し連結金具が当接する固定部を備えることを特徴とする。
【０００９】
本発明のフロントキャビネットの前記フレーム部材は、前記固定部と、前記固定部を設けた前記前板もしくは前記側板のいずれか一方と、前記前板もしくは前記側板とは別の一方とにより断面略コの字形状をなす事を特徴とする。
【００１０】
本発明のフロントキャビネットの前記フレーム部材の前記固定部は、前記連結金具が当接する３つの面を有することを特徴とする。
【００１１】
本発明のフロントキャビネットの前記連結金具は、断面が略コの字形状を成し、前記連結金具の内面が、前記フレーム部材の固定部と当接し、前記複数のフレーム部材同士を連結することを特徴とする。
【００１２】
本発明の表示装置は、上記フロントキャビネットを備えることを特徴とする表示装置。
【発明の効果】
【００１３】
本発明によれば、表示装置を構成するフロントキャビネットの強度を向上し、該フロントキャビネットを狭額縁化することが可能になる。
【図面の簡単な説明】
【００１４】
【図１】本発明の本実施形態の液晶表示装置の構造図である。
【図２】本発明の本実施形態の液晶表示装置のフロントキャビネットの一部拡大図である。
【図３】本発明の実施形態の連結金具の形状を示す図である。
【図４】本発明の実施形態の連結金具とフレーム部材の固定を示す図である。
【図５】本発明の実施形態の液晶表示装置の組み立て手順を示す図である。
【図６】従来のテレビジョン受像機のキャビネットの分解斜視図である。
【図７】従来のフロントキャビネットの各フレーム部材間を連結する状態を示す斜視図である。
【発明を実施するための形態】
【００１５】
本発明の実施形態を説明する。本実施形態ではテレビやパソコン、タブレットなどに使用される液晶表示装置を例として説明するが、他に有機ＥＬやプラズマディスプレイなどを使用した表示装置にも適用可能である。
【００１６】
本実施形態の液晶表示装置１の構造を図１から図５に示す。図１に示すように本実施形態の液晶表示装置１は、トップフレーム部材２１とライトフレーム部材２２とレフトフレーム部材２３とボトムフレーム部材２４とから成るフロントキャビネット２と、該フロントキャビネット２によって周縁部を取り囲まれる液晶パネルモジュール３と、該液晶パネルモジュール３の後側を覆うバックキャビネット４と、スタンド５と、４つのフレーム部材を連結する４つの連結金具２５とを備えている。
【００１７】
図１において符号２１ａは、液晶表示装置１の前面を構成するトップフレーム部材２１の前板を示し、２１ｂは液晶表示装置１の上面を構成するトップフレーム部材２１の側板を示している。また符号２２ａも同様に、液晶表示装置１の前面を構成するライトフレーム部材２２の前板を示し、符号２２ｂは液晶表示装置１の右側面を構成するライトフレーム部材２２の側板を示している。
【００１８】
図２を参照して、フロントキャビネット２の構造を説明する。図２は、図１におけるフロントキャビネット２のトップフレーム部材２１とライトフレーム部材２２の連結部の拡大図であり、液晶表示装置１の前面を構成するトップフレーム部材２１の前板２１ａとライトフレーム部材２２の前板２２ａを図の下側へ向け、フロントキャビネット２の内側を図示している。
【００１９】
図２(ａ)に示すトップフレーム部材２１を参照して、フロントキャビネット２を構成するフレーム部材の構成を説明する。本実施形態の液晶表示装置１のトップフレーム部材２１は、側板２１ｂと、側板２１ｂから突出する固定部２７と、前板２１ａとにより、符号３０で示す断面略コの字形状を成している。
【００２０】
図２(ａ)図２(ｂ)を参照して、フレーム部材の連結を説明する。本実施形態の液晶表示装置１のフロントキャビネット２では、図２(ａ)に示すようにトップフレーム部材２１とライトフレーム部材２２との端部がそれぞれ組み合わされ、組み合わされた２つのフレーム部材に連結金具２５をネジ２６によってネジ止めする。これによってトップフレーム部材２１とライトフレーム部材２２は、図２(ｂ)のように連結される。本実施形態の液晶表示装置１のフロントキャビネット２は、図２のような構成を４つの角部で実施することで、４つのフレーム部材を一体化して成る。
【００２１】
フレーム部材の連結について更に説明する。図２(ａ)に示すようにトップフレーム部材２１の固定部２７にはネジ２６を固定するネジ穴２８が開孔されている。同様にライトフレーム部材２２の固定部２９にはネジ２６を固定するネジ穴２８が開孔されている。ネジ穴２８は、連結金具２５にも開孔されており、ネジ２６は、フレーム部材のネジ穴２８と連結金具２５のネジ穴２８とを貫通して、連結金具２５を固定部２７、２９に固定する。なお固定部２７、２９はフレーム部材の端から端まで１つの固定部を構成しても良いし、短い固定部を両端部に１つずつ構成してもよい。また、図２では固定部２７をトップフレーム部材２１の側板２１ｂに構成し、固定部２９をライトフレーム部材２２の側板２２ｂに構成したが、固定部２７をトップフレーム部材２１の前板２１ａに構成し、固定部２９をライトフレーム部材２２の前板２２ａに構成してもよい。
【００２２】
図３は、連結金具２５の形状を説明する図である。図３(ａ)は、図２に示した連結金具２５を反対側から見た図であり、図３(ｂ)は上部から見た図である。図３に示すように連結金具２５は、断面がコの字型を成し、上面が略Ｌ字形状を成している。
【００２３】
図４は、連結金具２５がフレーム部材に固定される様子を説明する図である。図４は、ライトフレーム部材２２の断面図と連結金具２５の一部断面図である。図４(ａ)に示すように、ライトフレーム部材２２の固定部２９の３つの面２９ａ、２９ｂ、２９ｃは、連結金具２５のコの字の内面を構成する３つの面２５ａ、２５ｂ、２５ｃとそれぞれ当接し、ネジ２６によって図４(ｂ)のように固定される。
【００２４】
このように本実施形態の液晶表示装置１は、フレーム部材に構成した固定部と連結金具２５のそれぞれの３つの面が互いに当接して固定されるので、各フレーム部材のねじれ方向に対する強度および２つのフレーム部材の連結性を強化することが可能になる。
【００２５】
従来、連結金具を断面コの字型にせず、例えば、断面Ｌ字型として固定部と２つの面で当接する、もしくは連結金具を薄い一枚の板として固定部と１つの面で当接することが行われてきたが、これらの場合においても固定部や連結金具の厚さを厚くすることにより、ねじれ方向に対する強度および２つのフレーム部材の連結性を強化することは可能であった。しかし、固定部の幅を厚くすることによってフレーム部材の幅を増加させ、連結金具の大型化によって筺体内スペースの使用も増加もするので、フロントキャビネットを大型化させてしまい、狭額縁化を実現できないという問題があった。本実施形態の液晶表示装置１では、フレーム部材に構成した固定部と連結金具２５のそれぞれの３つの面が互いに当接して固定することで、固定部や連結金具を厚くしなくても各フレーム部材のねじれ方向に対する強度および２つのフレーム部材の連結性を強化することが可能になるので、フロントキャビネットの狭額縁化を実現できる効果がある。
【００２６】
本実施形態の液晶表示装置１の材料について説明する。フロントキャビネット２を構成する４つのフレーム部材は、アルミ、鉄、樹脂である。また連結金具２５はステンレス、鉄である。連結金具に使用する材料は、フレーム部材に使用する材料よりも強度の強い材料を使用する。また図４においては、フレーム部材と連結金具２５との互いに接触する３つの面以外は、接触せずにスペースをおいて図示している。これは熱による膨張や配線など他の部材を配備するためのスペースを意味しているが、特に限定せず、接触させるように構成しても良い。接触させることにより、よりフレーム部材のねじれ方向に対する連結性を強化できるようになる。
【００２７】
図５は、本実施形態の液晶表示装置１の組み立て手順を説明する図である。図５(ａ)に示すように、まず各フレーム部材を近付けて組み合わせる。図５ではトップフレーム部材２１とライトフレーム部材２２を図示しているが、レフトフレーム部材２３とボトムフレーム部材２４との連結も同様に実施する。次に図５(ｂ)のように連結金具２５を各フレーム部材の横から挿入し、図５(ｃ)のようにネジ２６で固定して、フロントキャビネット２を完成させる。次に液晶パネルモジュール３をフロントキャビネット２に組み込み、バックキャビネット４で後ろ側から覆う。液晶パネルモジュール３とバックキャビネット４の固定は、液晶パネルモジュール３をフロントキャビネット２へネジ止めし、バックキャビネット４を液晶パネルモジュール３へネジ止めする方法と、ネジをバックキャビネット４から挿入し、液晶パネルモジュール３を貫通させてフロントキャビネット２でネジ止めする方法との一方または両方を用いて行う。最後にスタンド５や装飾部材などを取り付け、本実施形態の液晶表示装置１が完成する。
【００２８】
以上説明したように本実施形態の液晶表示装置１のフロントキャビネット２を構成するフレーム部材は、３つの面から成る固定部を有し、連結金具２５は連結金具２５の断面構造をコの字形状に構成し、フレーム部材の結合部の３つの面にコの字の内面を構成する３つの面をそれぞれ当接させることによってフレーム部材と連結金具のねじれに対する強度を向上するものである。フレーム部材と連結金具のねじれに対する強度が向上するので、フロントキャビネット２延いては液晶表示装置１の筺体の強度が向上する効果がある。またフロントキャビネット２を狭額縁化する効果もある。
【産業上の利用可能性】
【００２９】
本発明は、表示装置に利用することが可能である。
【符号の説明】
【００３０】
１  液晶表示装置
２  フロントキャビネット
３  液晶パネルモジュール
４  バックキャビネット
５  スタンド
２１  トップフレーム部材
２１ａ  トップフレーム部材の前板
２１ｂ  トップフレーム部材の側板
２２  ライトフレーム部材
２２ａ  ライトフレーム部材の前板
２２ｂ  ライトフレーム部材の側板
２３  レフトフレーム部材
２４  ボトムフレーム部材
２５  連結金具
２６  ネジ
２７  固定部
２８  ネジ穴
２９  固定部
２９ａ、２９ｂ、２９ｃ  固定部の３つの面
２５ａ、２５ｂ、２５ｃ  連結金具の３つの面
３０  断面略コの字形状
１００  テレビジョン受像機
１０１  フロントキャビネット
１０２  リアキャビネット
１０３  ＣＲＴ
１０４  フェースプレート
１０５  ファンネル部
１０６  回路基板
１０７  トップフレーム部材
１０８  ライトフレーム部材
１０９  レフトフレーム部材
１１０  ボトムフレーム部材
１１１  コーナブラケット
１１２  タッピングねじ
１１３、１１４  厚肉リブ
１１５、１１６  絞り面
【図１】
2014066799.tif 000003
【図２】
2014066799.tif 000004
【図３】
2014066799.tif 000005
【図４】
2014066799.tif 000006
【図５】
2014066799.tif 000007
【図６】
2014066799.tif 000008
【図７】
2014066799.tif 000009